(57)【要約】【課題】地盤側基礎の上を建物本体が水平移動しなくとも１階の建物を含めた建物全体の振動を小さくすることのできる安価な建物の防振構造を提供する。【解決手段】建物本体２を基礎部１の上に建てた防振構造である。  そして、基礎部１には鉄骨製の略垂直な縦材１２を設け、この縦材１２の上方には横材１３を設ける。そして、この縦材１２は、縦材１２から横材１３又は隣の縦材１２に斜め方向に差し渡した制振構造の斜材５で補強する。【選択図】図２
2008095497.tif 000002
【特許請求の範囲】
【請求項１】
建物本体が基礎部の上に建てられた建物の防振構造であって、
前記基礎部には、鉄骨製の略垂直な縦材が設けられ、この縦材の上方には、縦材の先端から略水平方向に突設された横梁又は建物本体の１階の床梁である横材が設けられ、前記縦材は、縦材から横材又は隣の縦材に斜め方向に差し渡された振動を吸収する制振構造の斜材で補強されていることを特徴とする建物の防振構造。
【請求項２】
前記建物本体が複数個の建物ユニットを組み立てたユニット建物本体であることを特徴とする請求項１記載の建物の防振構造。
【請求項３】
前記建物ユニットには、略垂直な柱が設けられ、この柱の上方には、天井梁、上階の床梁、屋根の屋根梁のいずれかである横材が設けられ、前記柱は、柱から横材又は隣の柱に斜め方向に差し渡された制振構造の斜材で補強されていることを特徴とする請求項２記載の建物の防振構造。
【請求項４】
前記制振構造の斜材が、第一斜材とダンパーと第二斜材とをこの順に略一直線状に連結した棒状体であり、このダンパーは弾性体の弾性と粘稠な液体の粘性とを組み合わせた制振装置であることを特徴とする請求項１〜３のいずれかに記載の建物の防振構造。
【発明の詳細な説明】
【技術分野】
【０００１】
本発明は、建物の防振構造に関する。
【背景技術】
【０００２】
従来、地震等の地面の揺れに対して建物を護るための種々な建物の防振構造が知られている。
例えば、特許文献１〜特許文献３には、建物の基礎部を制振構造にして建物を地震等の振動から護る構造が記載され知られている。
【０００３】
この特許文献１〜３に記載されている構造は、地盤に形成された上面が平坦な地盤側基礎と、建物本体の下面に形成された下面が平坦な住宅側基礎とからなり、地盤側基礎の上で住宅側基礎を摺動自在又は転がる水平移動可能な状態にして、建物本体が住宅側基礎の上に据え付けられた防振構造である。
【０００４】
又、特許文献４や特許文献５には、建物の柱から天井梁又は上階の床梁に斜め方向に差し渡した方杖（特許文献４）やブレース（特許文献５）等の斜材で、柱を補強する構造であって、この斜材を制振構造にして建物を護る防振構造が記載されている。尚、この制振構造は、柱や梁と、方杖やブレースのいずれか一方に設けられた長孔と他方に設けられた丸孔とに通されたボルトと、このボルトに螺入されたナットで、方杖やブレースを柱や梁に取り付けた構造をしている。
【０００５】
又、特許文献６には、柱や梁等の架構本体とブレースや壁等の可変剛性要素との間、又は、可変剛性要素同士を、シリンダーと、このシリンダー内を往復するピストンと、このピストンの両側の油圧室とからなるピストン構造で連結し、この油圧室内に入っている油の量をコンピュータで制御して地震等による振動を吸収しようとする防振構造が記載されている。
【０００６】
【特許文献１】特開平７−４２１７１号公報
【特許文献２】特開２００２−７００３９号公報
【特許文献３】特開２００２−２０６２４５号公報
【特許文献４】特開２００１−８１８８０号公報
【特許文献５】特開平１１−２１７８７１号公報
【特許文献６】特開平７−３９７６４号公報
【発明の開示】
【発明が解決しようとする課題】
【０００７】
しかし、上記特許文献１〜３に記載されている構造では、地震等で地盤が揺れると、地盤側基礎が揺れる。すると、建物本体がそのままの位置を保つように、この揺れる地盤側基礎の上を住宅側基礎が建物本体と共に、左右に水平移動して、建物本体の揺れを小さくするものである。即ち、この地盤に形成された地盤側基礎と建物本体の位置が相対的に水平移動することによって建物本体を地震等の振動から護る構造になっているのである。
【０００８】
このことを図１０を参照しながら説明する。
図１０において、１００は地盤であり、この地盤１００には上面が略平坦な地盤側基礎２００が設けられている。
３００は建物本体であり、この建物本体３００の下面には略平坦な住宅側基礎４００が設けられている。
そして、図１０の実線で示すように、この地盤側基礎２００の上に住宅側基礎４００を水平方向に移動可能に載せて、地盤１００の上に建物本体３００が据え付けられている。
【０００９】
地震等で地盤１００が揺れると、建物本体３００の位置が地盤１００に対して、図１０の点線で示すように、相対的に水平移動し、矢印で示すように振動する。
この際、隣に地震と共に振動する建物や木等の固定物４５０があると、建物本体３００が隣の建物や木等の固定物４５０にぶつかる危険がある。
従って、この建物本体３００の水平移動で隣接する建物や木等の固定物４５０にぶつからないようにするためには、建物本体３００と隣接する建物や木等の固定物４５０と間の距離を大きくする必要があり不便である。
【００１０】
又、建物本体３００の中に設置された設備に連結する配管のように、地盤１００と建物本体３００とを連結する部材は、建物本体３００と地盤１００の相対的な水平移動によって破壊されることがあるので、この部材を建物本体３００と地盤１００の相対的な移動に追随できる構造にする必要があり、配管等の費用が高くなるという問題がある。
【００１１】
又、特許文献４や特許文献５に記載されている構造は、建物の柱から天井梁又は上階の床梁に、方杖（特許文献４）やブレース（特許文献５）を差し渡して柱や梁を補強すると同時に、この方杖やブレースを制振構造にして地震等の振動から建物本体を護る構造にしているが、この構造と作用と問題点について、図１１を参照しながら説明する。
【００１２】
図１１において、５００は地盤である。そして、この地盤５００の上に基礎６００を設け、この基礎の上に２階建ての建物７００が据え付けられている。
この建物７００には柱７１０から天井梁、上階の床梁、屋根の屋根梁等の横材７２０に斜め方向に差し渡した方杖８００で、柱７１０や横材７２０を補強している。
そして、図１１（ロ）に示すように、この方杖８００と、柱７１０や横材７２０の連結構造は、柱７１０や横材７２０に設けられた丸孔７５０と、方杖８００に設けられた長孔８５０に通されたボルト９００とこのボルト９００に螺入されたナット９１０で連結している。
【００１３】
このような構造になっているので、地震等の大きな力によって地盤５００が振動すると、柱７１０が傾くように振動し、柱７１０は横材７２０の角度が変化し、この変化によって方杖８００の長さが変わるが、ボルト９００が長孔８５０の中を移動して、この長さを変化させる力を吸収し、矢印に示す天井梁や上階の床梁７２０の揺れが小さくなる。
【００１４】
このような構造になっているので、この天井梁や上階の床梁７３０より上の上階の振動は小さくなり極めて便利であるが、１階の床梁は地盤５００と共に振動するので、主に人が生活している１階の振動は小さくならない。
又、地震等の振動でボルト９００が長孔８５０に沿って移動した状態で地震等の振動が停止すると、元の状態に戻らず、建物が変形した状態になったままになり建物に歪みが残る。
【００１５】
又、特許文献６に記載されている構造では、油圧室内に入れられている油の量をコンピュータで制御して振動を吸収しようとするので、大規模な制御装置が必要であり、設備費が高くなるという問題がある。
そこで、本発明の目的は、地盤側基礎上を建物本体が水平移動しなくとも、１階の建物を含めた建物全体の振動を小さくすることのできる安価な建物の防振構造を提供することである。
【課題を解決するための手段】
【００１６】
本発明は上記目的を達成するためになしたものであって、請求項１記載の発明は、建物本体が基礎部の上に建てられた建物の防振構造であって、前記基礎部には、鉄骨製の略垂直な縦材が設けられ、この縦材の上方には、縦材の先端から略水平方向に突設された横梁又は建物本体の１階の床梁である横材が設けられ、前記縦材は、縦材から横材又は隣の縦材に斜め方向に差し渡された振動を吸収する制振構造の斜材で補強されているものである。
【００１７】
請求項２記載の発明は、請求項１記載の発明に係り、前記建物本体が複数個の建物ユニットを組み立てたユニット建物本体である。
【００１８】
請求項３記載の発明は、請求項２記載の発明に係り、前記建物ユニットには、略垂直な柱が設けられ、この柱の上方には、天井梁、上階の床梁、屋根の屋根梁のいずれかである横材が設けられ、前記柱は、柱から横材又は隣の柱に斜め方向に差し渡された制振構造の斜材で補強されているものである。
【００１９】
請求項４記載の発明は、請求項１〜３のいずれかに記載の建物の防振構造に係り、前記制振構造の斜材が、第一斜材とダンパーと第二斜材とをこの順に略一直線状に連結した棒状体であり、このダンパーは弾性体の弾性と粘稠な液体の粘性とを組み合わせた制振装置である。
【００２０】
本発明における基礎部とは、地盤に設けられ、この上に建物本体が建てられるものであって、布型の基礎であってもよいし束型の基礎であってもよい。
そして、従来の多くの基礎部がコンクリート製であるが、本発明の基礎部は鉄骨製であることが従来の基礎部と大きく異なる。
本発明における斜材には、基礎部に設けられている基礎の斜材と建物の中に設けられている建物内の斜材の２種類ある。
【００２１】
そして、基礎の斜材は、縦材から横材又は隣の縦材に斜め方向に差し渡す梁材であって、方杖やブレース等が好適な斜材である。
又、建物内の斜材は、柱から、天井梁、上階の床梁、屋根の屋根梁のいずれかである横材又は隣の柱に斜め方向に差し渡す梁材であって、方杖やブレース等が好適な斜材である。
【００２２】
請求項１記載の発明における建物とは、種々な形式の建物のすべてを含む。例えば、現場で建てる現場施工の建物であってもよいし、工場で建物ユニットを製造し、現場では、この建物ユニットを組み立てるユニット建物とか組立住宅とかいわれている建物であってもよい。又、このユニット建物でも、鉄骨系のユニット建物であってもよいし、木造系のユニット建物であってもよい。
特に、請求項２記載及び請求項３記載のような建物ユニットを組み立てた建物が好適である。
【００２３】
請求項１記載の発明や請求項３記載の発明における制振構造とは、振動を吸収する構造をいい、前記特許文献２に記載されている制振構造であってもよいし、斜材を第一斜材と第二斜材とに分割し、この間にゴム板や積層ゴム等の弾性体を取り付けたものでもよいが、請求項４記載のように、第一斜材と第二斜め材の間にダンパーを挟んだ制振構造が好ましい。
【００２４】
請求項３記載の発明に記載されている天井梁、上階の床梁、屋根の屋根梁である横材とは、天井梁と床梁や屋根梁とが別の梁となっている建物では天井梁をいい、天井梁と上階の床梁とが同じものであって、床梁と称している建物では、この上階の床梁をいい、最上階の天井梁と屋根梁とが同じであって屋根梁と称している建物では屋根梁をいう。
【００２５】
（作用）
請求項１記載の発明では、建物本体が基礎部の上に建てられた建物の防振構造であって、前記基礎部には、鉄骨製の略垂直な縦材が設けられ、この縦材の上方には、縦材の先端から略水平方向に突設された横梁又は建物本体の１階の床梁である横材が設けられ、前記縦材は、縦材から横材又は隣の縦材に斜め方向に差し渡された振動を吸収する制振構造の斜材で補強されているので、次に示すように、１階の床梁が揺れ難く、その結果、建物全体が揺れ難いのである。
【００２６】
即ち、地盤が揺れたときに、従来のコンクリート製の基礎部では、この基礎部が殆ど変形しないので、この振動が直接建物本体に伝わり、建物本体が地震と同じように揺れるが、この請求項１記載の発明では、基礎部の縦材が可撓性を有する鉄骨製であるので、この鉄骨製の縦材が横方向に撓む方向に振動し、縦材と横材の角度を変化させ、縦材から横材又は隣の縦材に斜め方向に差し渡された斜材の長さが変える振動となるが、この斜材は制振構造になっているので、この制振構造の斜材が振動を吸収して、横材の振動が小さくなる。
【００２７】
このように、地盤が揺れても、制振構造になっている斜材が地盤の揺れを吸収して横梁又は建物本体の１階の床梁である横材の揺れが小さくなり、この横材又は建物の１階の床梁より上方にある建物本体、即ち、１階の部分を含めた建物本体全体の揺れが小さくなる。
【００２８】
請求項２記載の発明では、請求項１記載の発明に係り、前記建物本体が複数個の建物ユニットを組み立てたユニット建物本体であるので、基礎部に斜材を取り付け、この上に工場で組み立てたユニット建物を据え付けるだけや、基礎部の上にユニット建物を据え付けた後に斜材を取り付けるだけで防振構造の建物とすることができ、極めて施工し易い。
特に、この建物ユニットが一般に揺れ易いといわれている鉄骨系の建物ユニットである場合には、揺れが小さくなり、好ましい建物となる。
【００２９】
請求項３記載の発明では、請求項２記載の発明に係り、前記建物ユニットには、略垂直な柱が設けられ、この柱の上方には、天井梁、上階の床梁、屋根の屋根梁のいずれかである横材が設けられ、前記柱は、柱から横材又は隣の柱に斜め方向に差し渡された制振構造の斜材で補強されているので、前記請求項１記載の発明と同様に、１階の建物ユニットの揺れが小さいし、１階の建物ユニットが揺れても、１階の柱と天井梁又は上階の床梁との間に設けられた制振構造の建物内の斜材が１階の建物ユニットの揺れを吸収し、上階の建物ユニットの揺れが、従来より小さくなる。
【００３０】
このように、１階の建物ユニットを含めたユニット建物全体が揺れ難く、居住性のよい建物である。
請求項４記載の発明では、請求項１〜３のいずれかに記載のユニット建物の防振構造に係り、前記制振構造の斜材が、第一斜材とダンパーと第二斜材とをこの順に略一直線状に連結した棒状体であり、このダンパーは弾性体の弾性と粘稠な液体の粘性とを組み合わせた制振装置であるので、地震等の振動で縦材が振動し、斜材の長さが変化しようとする力が加わってもダンパーである防振装置の弾性体の弾性と粘稠な液体の粘性の組み合わせによる制振作用によって振動が大きく吸収され、建物が振動し難いし、振動が終了すると、弾性体の弾性により建物ユニットが所定位置に戻り、地震後の建物に歪みが発生しない。
【発明の効果】
【００３１】
請求項１記載の発明は、建物本体が基礎部の上に建てられた建物の防振構造であって、前記基礎部には、鉄骨製の略垂直な縦材が設けられ、この縦材の上方には、縦材の先端から略水平方向に突設された横梁又は建物本体の１階の床梁である横材が設けられ、前記縦材は、縦材から横材又は隣の縦材に斜め方向に差し渡された振動を吸収する制振構造の斜材で補強されているから、地震等で、地盤が揺れても、制振構造になっている斜材が地盤の揺れを吸収して横梁又は建物本体の１階の床梁の揺れが小さくなり、この横基礎又は建物の１階の床梁より上方にある建物本体、即ち、１階の部分を含めた建物本体全体の揺れが小さくなる。
【００３２】
請求項２記載の発明は、請求項１記載の発明に係り、前記建物本体が複数個の建物ユニットを組み立てたユニット建物本体であるから、基礎部に斜材を取り付け、この上に工場で組み立てたユニット建物を据え付けるだけや、基礎部の上にユニット建物を据え付けた後に斜材を取り付けるだけで防振構造の建物とすることができ，極めて施工し易い。
【００３３】
請求項３記載の発明は、請求項２記載の発明に係り、前記建物ユニットには、略垂直な柱が設けられ、この柱の上方には、天井梁、上階の床梁、屋根の屋根梁のいずれかである横材が設けられ、前記柱は、柱から横材又は隣の柱に斜め方向に差し渡された制振構造の斜材で補強されているから、前記請求項１記載の発明と同様に、１階の建物ユニットの揺れが小さいし、１階の建物ユニットが揺れても、１階の柱と天井梁又は上階の床梁との間に設けられた制振構造の建物内の斜材が１階の建物ユニットの揺れを吸収し、１階の上の上階の建物ユニットの揺れが、従来より小さくなる。
このように、１階の建物ユニットを含めたユニット建物全体が揺れ難く、居住性のよい建物である。
【００３４】
請求項４記載の発明は、請求項１〜３のいずれかに記載の建物の防振構造に係り、前記制振構造の斜材が、第一斜材とダンパーと第二斜材とをこの順に略一直線状に連結した棒状体であり、このダンパーは弾性体の弾性と粘稠な液体の粘性とを組み合わせた制振装置であるから、地震等の振動で縦材が振動し、斜材の長さが変化しようとする力が加わってもダンパーである防振装置の弾性体の弾性と粘稠な液体の粘性の組み合わせによる制振作用によって振動が大きく吸収され、建物が振動し難いし、振動が終了すると、弾性体の弾性により建物ユニットを所定位置に戻り、地震後の建物に歪みが発生しない。
【発明を実施するための最良の形態】
【００３５】
次に、本発明の実施の形態を実施例で説明する。
（実施例１）
図１〜図４は本発明の一実施例を示すもので、図１は建物の斜視図、図２は１階の建物ユニットが据え付けられた基礎部の主要部を示す斜視図、図３は建物ユニットを示す一部切欠斜視図、図４は斜材の主要部を示す断面図である。
【００３６】
図１〜図４において、Ｕは建物であり、この建物Ｕは、図１に示すように、基礎部１の上に、９個の建物ユニット２が据え付けられて１階が形成され、この１階の建物ユニット２の上に９個の建物ユニット２が据え付けられて２階が形成され、この２階の建物ユニット２の上に屋根パネル３が取り付けられたものである。
【００３７】
この建物Ｕを構成する建物ユニット２は、図３に示すように、矩形状の四隅に立設した４本の鋼製四角筒状の柱２１と、この４本の柱２１の下端部を長方形の辺に沿って連結した４本の鋼製断面コ字形長尺体の床梁２２と、この４本の柱２１の上端部を長方形の辺に沿って連結した４本の鋼製断面コ字形長尺体の天井梁２３と、柱２１と天井梁２３は、斜め方向に差し渡され連結された方杖である建物内の斜材４とからなる骨格を有する。
【００３８】
そして、建物ユニット２は、この骨格の相対する床梁２２に鋼製四角筒状の床小梁２４が差し渡され、この床小梁２４の上に木製の床根太２５が取り付けられ、この床根太２５の上にパーチクルボードの床面材２６が取り付けられて床が形成され、相対する天井梁２３に木製の天井野縁２７が差し渡された状態に取り付けられ、この天井野縁２７の下面に石膏ボードの天井面材２８が取り付けられて天井が形成されたものである。
又、外壁を設ける場所には、床梁２２と天井梁２３とに間柱２９が差し渡され、この間柱２９に図示しない外壁パネルと内壁パネルが取り付けられ、この外壁パネルと内壁パネルとの間にグラスウールの断熱材が取り付けられて、外壁が形成されている。
【００３９】
基礎部１は束型であって、図２に示すように、地盤９に埋め込まれたコンクリート製の基礎１１と、この基礎１１に立設された鉄骨製の断面コ字形長尺体の縦材１２と、この縦材１２の上端に略水平に取り付けられた鋼製の断面コ字形長尺体の横梁である横材１３と、この縦材１２と横材１３とに斜め方向に差し渡された方杖である基礎の斜材５とからなる。
尚、この際の地盤９はベタ基礎であってもよい。
そして、この基礎部１の横材１３の上に建物ユニット２が据え付けられている。
【００４０】
建物内の斜材４と基礎の斜材５は略同じ構造であるので、この両方を示すときには、単に斜材Ｈと称する。
この斜材Ｈは、図４に示すように、第一斜材Ｈ１とダンパーである制振装置６と第二斜材Ｈ２とが略一直線状に連結されものである。
制振装置６は、円筒状で両側に蓋が取り付けられたシリンダー６１と、このシリンダー６１内を往復自在に取り付けられたピストン６２と、このピストン６２と両側の蓋との間に設けられたスプリングバネ６３と、シリンダー６１の中に封入された粘稠な液体６４とからなり、シリンダー６１とピストン６２との間には小さな隙間６５が設けられている。
【００４１】
そして、このピストン６２に取り付けられているピストンロッド６５が第一斜材Ｈ１に連結され、シリンダー６１の一方の蓋が第二斜材Ｈ２に連結されている。
そして、図２と図３に示すように、斜材Ｈが縦材１２から横材１３に、又は、柱２１から天井梁２３に、斜め方向に差し渡され、第一斜材Ｈ１と第二斜材Ｈ２の一方が縦材１２や柱２１に、又、他方が横材１３や天井梁２３に連結されている。
【００４２】
この斜材Ｈの制振作用について説明する。
地震等で地盤９が振動すると、縦材１２又は柱２１が振動し、縦材１２又は柱２１と、横材１３との角度が変化する振動となり、その結果、斜材Ｈの長さが変化する振動となる。
この振動を詳細に観察すると、先ず、地震等で地盤９が一方に移動すると、縦材１２や柱２１が撓んで傾き、この傾きによって、斜材Ｈの第一斜材Ｈ１と第二斜材Ｈ２の距離が変化し、ピストン６２がシリンダー６１内を移動するが、シリンダー６１内には粘稠な液体６４が封入されていて、この粘稠な液体６４がシリンダー６１とピストン６２の間に設けられた小さな隙間６５を通るだけしか移動しない。
【００４３】
この際、粘稠な液体６４が移動し始めるときに最も大きな力が必要で、移動し始めると段々速くなる。
しかし、このピストン６２の両側に設けられているこのスプリングバネ６３は、ピストン６２が移動し始めるときには比較的小さい力でも移動するが、移動するに従って、この移動した距離に比例する力で元の状態に戻ろうとする。このように粘稠な液体６４の粘性の抵抗力と、スプリングバネ６３の弾性の抵抗力には時間差がある。
【００４４】
このように移動するが、十分に移動が完了する前に、地震等の振動によって、縦材１２や柱２１が反対方向に移動し、ピストン６２は反対方向に移動する。
このように粘稠な液体６４の粘性と、スプリングバネ６３の弾性によって生ずる時間差のある抵抗力によって振動が著しく小さくなる。換言すると、地震等の地盤９の振動を斜材Ｈが吸収する。そして、振動が終了すると、スプリングバネ６３の弾性によりピストン６２は元の位置に戻る。
屋根パネル３は従来の折版屋根と略同じであるので説明を省略する。
【００４５】
次に、この建物Ｕの施工方法及び建物Ｕの作用について説明する。
予め、基礎の斜材５を取り付けた縦材１２と横材１３を製造し、施工現場で、地盤に穴を設け、この穴の中に縦材１３の先端を差し込み、コンクリートを打ち込んで基礎１１とし、この基礎１１で縦材１３を固定すると基礎部１が完成する。
工場で、建物ユニット２、屋根パネル３を製造する。
そして、この建物ユニット２、屋根パネル３を施工現場に運搬する。
【００４６】
施工現場では、予め、設けられている基礎部１の横材１３や縦材１２の上に、建物ユニット２を据え付けて１階を形成し、この１階の建物ユニット２の上に建物ユニット２を据え付けて２階を形成し、この２階の建物ユニット２の上に屋根パネル３を取り付ける。
その他、種々な仕上げを行うと、建物Ｕが完成する。
【００４７】
このようにして完成した建物Ｕでは、基礎部１には、鉄骨製の略垂直な縦材１２が設けられ、この縦材１２の上方には略水平な横材１３が設けられ、この縦材１２は、縦材１２から横材１３に斜め方向に差し渡された方杖である基礎の斜材５で補強されているので、地震等で地盤９が揺れると、制振構造になっている基礎の斜材５が地盤の揺れを吸収して横梁である横材１３の揺れが少なくなる。
【００４８】
又、通常、１階の建物ユニット２より２階の建物ユニット２の方が揺れ易いが、この実施例１の建物ユニット２には、略垂直な柱２１が設けられ、この柱２１は、柱２１から天井梁２３に斜め方向に差し渡された建物内の斜材４で補強され、この建物内の斜材４が制振構造になされているので、１階の建物ユニット２が揺れても、１階の柱２１と天井梁２３の間に設けられた制振構造の建物内の斜材４が１階の建物ユニット２の揺れを吸収し、その結果、２階の建物ユニット２が従来より振動が小さくなる。
【００４９】
このようになっているので、１階の建物ユニット２を含めた建物Ｕ全体が揺れ難く、居住性のよい建物である。
又、地震等の振動が終了すると、弾性体の弾性により建物ユニット２が所定位置に戻り、建物Ｕに歪みが発生しない。
【００５０】
（実施例２）
図５〜図７は本発明の他の実施例を示すもので、図５は建物の斜視図、図６（イ）は１階の建物ユニットが据え付けられた基礎部の主要部を示す斜視図、（ロ）は１階の建物ユニットと２階の建物ユニットの接合状態の主要部を示す正面図、図７は建物ユニットを示す一部切欠斜視図である。
【００５１】
この図５〜図７に示す実施例２を、図１〜図４に示す実施例１と比較すると、基礎部１ａの構造と建物ユニット２ａの構造が異なるので、この基礎部１ａと建物ユニット２ａの構造を主にして説明する。
建物Ｕａは、図５に示すように、基礎部１ａの上に、９個の建物ユニット２ａが据え付けられて１階が形成され、この１階の建物ユニット２ａの上に９個の建物ユニット２ａが据え付けられて２階が形成され、この２階の建物ユニット２ａの上に屋根ユニット３ａが取り付けられたものである。
【００５２】
建物ユニット２ａは、図７に示すように、矩形状の床パネル７ａと、この床パネル７ａの矩形状の四隅に立設した４本の鋼製四角筒状の柱２１ａとからなる。
床パネル７ａは矩形状に組み立てられた床梁２２ａの上面にパーチクルボードの床面材２６ａが取り付けられたものである。
【００５３】
尚、２階の建物ユニット２ａの床パネル７ａの下面には、図示しない石膏ボードの天井面材が取り付けられて、１階の建物ユニット２ａの上に２階の建物ユニット２ａを取り付けると、この天井面材が１階の天井となるし、屋根ユニット３ａの下面には、図示しない石膏ボードの天井面材が取り付けられて、２階の建物ユニット２ａの上に屋根ユニット３ａを取り付けると、この天井面材が２階の天井となる。
【００５４】
又、外壁を設ける場所には、柱２１ａの間に、図示しない外壁パネルと内壁パネルが取り付けられ、この外壁パネルと内壁パネルとの間にグラスウールの断熱材が取り付けられて、外壁が形成されている。
【００５５】
基礎部１ａは束型であって、図６（イ）に示すように、地盤に埋め込まれたコンクリート製の基礎１１ａと、この基礎１１ａに立設された鉄骨製の断面コ字形長尺体の縦材１２ａとからなる。
そして、図６（イ）に示すように、この基礎部１ａの上に建物ユニット２ａが据え付けられ、縦材１２ａから１階の建物ユニット２ａの床梁２２ａに斜め方向に方杖である基礎の斜材５ａが差し渡されて、縦材１２ａと柱が補強されている。
【００５６】
建物Ｕａは、図５に示すように、基礎部１ａの上に、９個の建物ユニット２ａが据え付けられて１階が形成され、この１階の建物ユニット２ａの上に９個の建物ユニット２ａが据え付けられて２階が形成され、この２階の建物ユニット２ａの上に屋根ユニット３ａが取り付けられたものである。そして、図６（ロ）に示すように、１階の建物ユニット２ａの柱２１ａから２階の建物ユニット２ａの床梁２２ａに方杖である建物内の斜材４ａが差し渡されて柱２２ａが補強されている。
【００５７】
建物内の斜材４ａと基礎の斜材５ａは略同じ構造で、第一斜材と、ダンパーである制振装置と、第二斜材とが略一直線状に連結されものであることと、この防振装置の構造と作用は、実施例１と略同じであるので、説明を省略する。
屋根ユニット３ａは従来の傾斜屋根ユニットと略同じであるので説明を省略する。
次に、この建物Ｕａの施工方法及び建物Ｕａの作用について説明する。
予め、縦材１２ａを製造し、施工現場で、地盤に穴を設け、この穴の中に縦材１２ａの先端を差し込んで立設し、コンクリートを打ち込んで基礎１１ａとし、この基礎１１ａで縦材１２ａを固定する。
【００５８】
工場で、建物ユニット２ａ、屋根ユニット３ａを製造する。
そして、この建物ユニット２ａ、屋根ユニット３ａを施工現場に運搬する。
施工現場では、予め、設けられている縦材１２ａの上に、建物ユニット２ａを据え付けて１階を形成し、この１階の建物ユニット２ａの上に建物ユニット２ａを据え付けて２階を形成し、この２階の建物ユニット２ａの上に屋根ユニット３ａを取り付ける。
【００５９】
又、縦材１２ａと１階建物ユニット２ａの床梁２２ａに基礎の斜材５ａを差し渡して取り付けて基礎部１を完成させたり、１階建物ユニット２ａの柱２１ａと２階の床梁２２ａとに建物内の斜材４ａを差し渡して取り付けたり、２階の建物ユニット２ａの柱２１ａと屋根ユニット３ａの図示しない屋根梁に建物内の斜材４ａを差し渡して取り付ける。
尚、この斜材４ａ、５ａの作用については、実施例１と略同じであるので、説明を省略する。
その他、種々な仕上げを行うと、建物Ｕａが完成する。
【００６０】
このようにして完成した建物Ｕａでは、基礎部１には、鉄骨製の略垂直な縦材１２ａが設けられ、この縦材１２ａの上方には１階の建物ユニット２ａの床梁２２ａが設けられ、この縦材１２ａから床梁２２ａに斜め方向に差し渡された基礎の斜材５ａで補強されているので、地震等で地盤９ａが揺れると、制振構造になっている基礎の斜材５ａが地盤９ａの揺れを吸収して１階の建物ユニット２ａの床梁２２ａの揺れが小さくなる。
【００６１】
又、通常、１階の建物ユニット２ａより２階の建物ユニット２ａの方が揺れ易いが、この実施例２では、建物ユニット２ａは、略垂直な複数の柱２１ａが設けられ、この複数の柱２１ａは、柱２１ａから天井梁２２ａに斜め方向に差し渡された建物内の斜材４ａで補強されているので、１階の柱２１ａと天井梁２３ａの間に設けられた制振構造の建物内の斜材４ａによって１階の建物ユニット２ａの揺れを吸収し、２階の建物ユニット２ａが従来の２階より振動が小さい。
従って、１階の建物ユニット２を含めた建物Ｕａ全体の揺れが小さく、居住性のよい建物である。
又、地震等の振動が終了すると、弾性体の弾性により建物ユニット２ａが所定位置に戻り、地震等の振動が終了後の建物Ｕａに歪みが発生しない。
【００６２】
（実施例３）
図８は本発明の別の実施例を示すもので、１階の建物ユニットが据え付けられた基礎部の主要部を示す斜視図である。
【００６３】
この図８に示す実施例３を、図５〜図７に示す実施例２と比較すると、基礎部の構造が異なるだけであるので、この基礎部の構造について説明する。
基礎部は、図に示すように、地盤に埋め込まれたコンクリート製の基礎１１ｂと、この基礎１１ｂに立設された鉄骨製の断面コ字形長尺体の縦材１２ｂと基礎の斜材５ｂとからなることは、実施例２と略同じであるが、この斜材５ｂが縦材１２ｂから隣の縦材１２ｂに斜め方向に差し渡された方杖であることが異なる。
その他の構造、施工方法及び作用については実施例２と略同じであるので説明を省略する。
【００６４】
（実施例４）
図９は本発明の更に別の実施例を示すもので、１階の建物ユニットが据え付けられた基礎部の主要部を示す斜視図である。
【００６５】
この図９に示す実施例４を、図５〜図７に示す実施例２と比較すると、基礎部１ｃの構造が異なるだけであるので、この基礎部置１ｃの構造について説明する。
基礎部１ｃは、図に示すように、地盤に埋め込まれたコンクリート製の基礎１１ｃと、この基礎１１ｃに立設された縦材１２ｃと基礎の斜材５ｃとからなることは同じであるが、縦材１２ｃが、鉄骨製で四角状に枠組された布型の基礎であること、基礎の斜材５ｃが基礎部１ｃの縦材１２ｃから隣の縦材１２ｃに斜め方向に差し渡された方杖であることが異なる。
その他の構造、施工方法及び作用については実施例２と略同じであるので説明を省略する。
【図面の簡単な説明】
【００６６】
【図１】本発明の一実施例を示すもので、建物の斜視図である。
【図２】１階の建物ユニットが据え付けられた基礎部の主要部を示す斜視図である。
【図３】建物ユニットを示す一部切欠斜視図である。
【図４】斜材の主要部を示す断面図である。
【図５】本発明の他の実施例を示すもので、建物の斜視図である。
【図６】（イ）は１階の建物ユニットが据え付けられた基礎部の主要部を示す斜視図、（ロ）は１階の建物ユニットと２階の建物ユニットの接合状態の主要部を示す正面図である。
【図７】建物ユニットを示す一部切欠斜視図である。
【図８】本発明の別の実施例を示すもので、１階の建物ユニットが据え付けられた基礎部の主要部を示す斜視図である。
【図９】本発明の更に別の実施例を示すもので、１階の建物ユニットが据え付けられた基礎部の主要部を示す斜視図である。
【図１０】従来の建物の防振構造を示す説明図である。
【図１１】従来の建物の別の防振構造を示す説明図である。
【符号の説明】
【００６７】
Ｕ、Ｕａ          建物
１、１ａ、１ｃ    基礎部
１２、１２ａ、１２ｂ、１２ｃ  縦材
１３              横材
２、２ａ          建物ユニット
２１、２１ａ      柱
２２、２２ａ      床梁
Ｈ                斜材
４、４ａ          建物内の斜材
５、５ａ、５ｂ、５ｃ  基礎の斜材
６                制振装置
６１              第一の斜材
６２              第二の斜材
【図１】
2008095497.tif 000003
【図２】
2008095497.tif 000004
【図３】
2008095497.tif 000005
【図４】
2008095497.tif 000006
【図５】
2008095497.tif 000007
【図６】
2008095497.tif 000008
【図７】
2008095497.tif 000009
【図８】
2008095497.tif 000010
【図９】
2008095497.tif 000011
【図１０】
2008095497.tif 000012
【図１１】
2008095497.tif 000013